(57)【特許請求の範囲】
【請求項１】
所定の形状に裁断されたブランクを折曲げ線に沿って折り曲げることで立体形状に組み立てられた箱に、平シール状のエンドシール部を有するチューブ容器を収容した包装体であって、
前記箱は、正面板と背面板と左右一対の側面板とを含んで形成されると共に、前記正面板と前記背面板と前記左右一対の側面板のうちの少なくとも３枚の板の上辺又は下辺から折曲げ線を介して連設する、複数のフラップ片を折り重ねることで、天面部又は底面部が形成されるようになっており、
前記フラップ片の少なくとも一枚は、折り曲げられた状態から元の状態に戻ろうとする復元力を押付け付勢力として、前記チューブ容器を前記正面板又は前記背面板の内側面に押し付ける押付けフラップ部を備えており、
前記チューブ容器を前記押付けフラップ部によって前記正面板又は前記背面板の内側面に押し付けることで、前記箱の内部における前記チューブ容器の回転を阻止するようになっており、
前記押付けフラップ部は、前記左右一対の側面板の上辺又は下辺と連設する側面フラップ片の一部として構成されるようになっており、各側面フラップ片には、前記側面板との間の折曲げ線と平行又は略平行に延設する第１補助折曲げ線と、該第１補助折曲げ線よりも先端側領域において該第１補助折曲げ線と垂直又は略垂直に延設する第２補助折曲げ線と、前記第１補助折曲げ線における第２補助折曲げ線を挟んだ片側部分に形成される切込み線とが設けられていて、該切込み線と前記第２補助折曲げ線とによって区画される部分が前記押付けフラップ部となっており、
前記第１補助折曲げ線及び前記第２補助折曲げ線を折り曲げることで前記押付けフラップ部を前記正面板又は前記背面板の内側面と対向配置させ、前記押付けフラップ部と前記正面板又は前記背面板の内側面との間に前記チューブ容器を挟み込んだ状態で、前記第２補助折曲げ線を介して折り曲げたことによる前記押付けフラップ部の押付け付勢力によって、前記チューブ容器を前記正面板又は前記背面板の内側面に押し付ける包装体。
【請求項２】
所定の形状に裁断されたブランクを折曲げ線に沿って折り曲げることで立体形状に組み立てられた箱に、平シール状のエンドシール部を有するチューブ容器を収容した包装体であって、
前記箱は、正面板と背面板と左右一対の側面板とを含んで形成されると共に、前記正面板と前記背面板と前記左右一対の側面板のうちの少なくとも３枚の板の上辺又は下辺から折曲げ線を介して連設する、複数のフラップ片を折り重ねることで、天面部又は底面部が形成されるようになっており、
前記フラップ片の少なくとも一枚は、折り曲げられた状態から元の状態に戻ろうとする復元力を押付け付勢力として、前記チューブ容器を前記正面板又は前記背面板の内側面に押し付ける押付けフラップ部を備えており、
前記チューブ容器を前記押付けフラップ部によって前記正面板又は前記背面板の内側面に押し付けることで、前記箱の内部における前記チューブ容器の回転を阻止するようになっており、
前記左右一対の側面板の、前記エンドシール部が配置される上部又は下部とは反対側の下辺又は上辺と連設する側面フラップ片は、これらの先端部が、前記側面版の内側面における、前記側面板との間の折曲げ線から当該側面フラップ片の長さよりも短い間隔離れた位置に接合されることにより、前記側面版の内側面から内側に突出する仕切り台を各々形成するようになっており、
両側の前記側面板の内側面から各々突出する前記仕切り台の間に先端キャップ部を挟み込んだ状態で、チューブ容器が収容される包装体。
【請求項３】
所定の形状に裁断されたブランクを折曲げ線に沿って折り曲げることで立体形状に組み立てられた箱に、平シール状のエンドシール部を有するチューブ容器を収容した包装体であって、
前記箱は、正面板と背面板と左右一対の側面板とを含んで形成されると共に、前記正面板と前記背面板と前記左右一対の側面板のうちの少なくとも３枚の板の上辺又は下辺から折曲げ線を介して連設する、複数のフラップ片を折り重ねることで、天面部又は底面部が形成されるようになっており、
前記フラップ片の少なくとも一枚は、折り曲げられた状態から元の状態に戻ろうとする復元力を押付け付勢力として、前記チューブ容器を前記正面板又は前記背面板の内側面に押し付ける押付けフラップ部を備えており、
前記チューブ容器を前記押付けフラップ部によって前記正面板又は前記背面板の内側面に押し付けることで、前記箱の内部における前記チューブ容器の回転を阻止するようになっており、
前記箱の底面部には、前記正面板と前記側面板との接合角部及び前記背面板と前記側面板との接合角部のうちの少なくとも２箇所の接合角部において、前記正面板及び前記側面板、又は前記背面板及び前記側面板に跨る角部脚片が、前記フラップ片との間の折曲げ線よりも下方に突出して設けられている包装体。
【請求項４】
前記押付けフラップ部は、前記背面板又は前記正面板の上辺又は下辺と連設する背面フラップ片又は正面フラップ片によって構成されるようになっており、これらを折曲げ線を介して内側に折り返すと共に、折り返した背面フラップ片又は正面フラップ片の外側面と前記正面板又は前記背面板の内側面との間に前記チューブ容器を挟み込んだ状態で、前記背面フラップ片又は前記正面フラップ片による押付け付勢力によって、前記チューブ容器を前記正面板又は前記背面板の内側面に押し付ける請求項２又は３記載の包装体。
【請求項５】
前記箱は、透明又は半透明のブランクを用いて形成されることにより、或いは一部に開口部が設けられていることにより、収容した前記チューブ容器を視認可能となっている請求項１〜４の何れか１項に記載の包装体。
【発明の詳細な説明】
【技術分野】
【０００１】
本発明は、包装体に関し、特に、立体形状に組み立てられた箱に、平シール状のエンドシール部を有するチューブ容器を収容した包装体に関する。
【背景技術】
【０００２】
例えば、化粧品類、薬品類、菓子類、文房具類や、その他の日用品等を包装する包装箱として、透明な、或いは透明感のあるプラスチック製の箱が、内部の収容物を外側から視認可能な状態で収容する包装容器として多用されている。また、例えば厚紙等によって形成した紙製の箱や、その他の不透明なシート材料からなる箱においても、周面に開口部や切欠き部等を設けて、内部の収容物を外側から視認可能な状態で収容することが行われている。これらの収容物を外側から視認可能な状態で収容する箱は、一般に４角形、多角形等の断面形状を備える筒状に形成した箱本体の上下の開口部を、当該開口部の周縁に連設するフラップ片を折り重ねて天面部や底面部を形成することで閉塞する。
【０００３】
一方、外側から視認可能な状態で箱に収容される収容物として、例えば円筒形状のものが収容されている包装体の場合、箱の内部で収納物が回転しやすく、例えば収納物に施した装飾や説明書き等が陳列時に見難くなることで、製品としての包装体が粗雑な印象を与える場合があることから、このような回転し易い円筒形状の収容物を、簡易な構成によって回転を阻止した状態で収容することにより、陳列時における美観や、内部の収容物の見易さを向上させた包装体が開発されている（例えば、特許文献１参照）。
【先行技術文献】
【特許文献】
【０００４】
【特許文献１】特開２００７−８５６０号公報
【発明の概要】
【発明が解決しようとする課題】
【０００５】
特許文献１の包装体では、箱を構成する側面板に連設するフラップ片の形状を工夫するだけの簡易な構成によって、円筒形状の収納物の回転を効果的に阻止できるようになっているが、例えば収容物として、平シール状のエンドシール部を有するチューブ容器を収容する場合には、フラップ片によってチューブ容器を両側から挟み込むことが困難になることから、このような平シール状のエンドシール部を有するチューブ容器を収納物として箱に収容した場合に、これの回転を効果的に阻止できるようにする新たな技術の開発が望まれている。
【０００６】
本発明は、平シール状のエンドシール部を有するチューブ容器を収納物として箱に収容した場合に、簡易な構成によって、収容されたチューブ容器の回転を効果的に阻止することのできる包装体を提供することを目的とする。
【課題を解決するための手段】
【０００７】
本発明は、所定の形状に裁断されたブランクを折曲げ線に沿って折り曲げることで立体形状に組み立てられた箱に、平シール状のエンドシール部を有するチューブ容器を収容した包装体であって、前記箱は、正面板と背面板と左右一対の側面板とを含んで形成されると共に、前記正面板と前記背面板と前記左右一対の側面板のうちの少なくとも３枚の板の上辺又は下辺から折曲げ線を介して連設する、複数のフラップ片を折り重ねることで、天面部又は底面部が形成されるようになっており、前記フラップ片の少なくとも一枚は、折り曲げられた状態から元の状態に戻ろうとする復元力を押付け付勢力として、前記チューブ容器を前記正面板又は前記背面板の内側面に押し付ける押付けフラップ部を備えており、前記チューブ容器を前記押付けフラップ部によって前記正面板又は前記背面板の内側面に押し付けることで、前記箱の内部における前記チューブ容器の回転を阻止する包装体を提供することにより、上記目的を達成したものである。
【発明の効果】
【０００８】
本発明の包装体によれば、平シール状のエンドシール部を有するチューブ容器を収納物として箱に収容した場合に、簡易な構成によって、収容されたチューブ容器の回転を効果的に阻止することができる。
【図面の簡単な説明】
【０００９】
【図１】本発明の好ましい第１実施形態に係る包装体の構成を説明する斜視図である。
【図２】本発明の好ましい第１実施形態に係る包装体の箱を形成するためのブランクの展開図である。
【図３】本発明の好ましい第１実施形態に係る包装体の構成を説明する要部断面図である。
【図４】本発明の好ましい第１実施形態に係る包装体の構成を説明する、箱の上端開口を閉塞する前の状態の要部斜視図である。
【図５】本発明の好ましい第２実施形態に係る包装体の構成を説明する要部斜視図である。
【図６】本発明の好ましい第２実施形態に係る包装体の箱を形成するためのブランクの要部展開図である。
【図７】本発明の好ましい第１実施形態に係る包装体の他の構成を説明する要部断面図である。
【図８】（ａ）は本発明の他の実施形態に係る包装体を例示する斜視図、（ｂ）はブランクの展開図、（ｃ）は箱の組立て状況を説明する横断面図である。
【発明を実施するための形態】
【００１０】
本発明の好ましい第１実施形態に係る包装体１０は、図１に示すように、透明なプラスチックからなる縦長の六面体状の箱１１の内部に、収容物として例えば化粧用の乳液が入ったチューブ容器１２を収容してなるものである。また、本第１実施形態の包装体１０を構成する箱１１は、当該箱１１を形成可能な所定の形状に裁断された、一枚の薄板状のシート材料であるプラスチック製のブランク１４（図２参照）を用いて、六面体状の箱として組み立てられる。さらに、組み立てられた箱１１の内部には、その端に平シール状のエンドシール部１２ａを有すると共に、他端にキャップを備える先端キャップ部１２ｂを有する合成樹脂製のチューブ容器１２が、先端キャップ部１２ｂを下方に配置した倒立状態で収容されている。本第１実施形態の包装体１０は、箱１１の内部に相当の遊びを持って収容されたチューブ容器１２が箱１１の内部で回転するのを、簡易な構成によって効果的に阻止できる機能を備える。
【００１１】
すなわち、本第１実施形態の包装体１０は、図２に示すような所定の形状に裁断されたブランク１４を折曲げ線１５ａ，１５ｂに沿って折り曲げることで立体形状に組み立てられた箱１１に、平シール状のエンドシール部１２ａを有するチューブ容器１２を収容した包装体である。図１に示すように、箱１１は、正面板１６と背面板１７と左右一対の側面板１８とを含んで形成されると共に、正面板１６と背面板１７と左右一対の側面板１８のうちの少なくとも３枚の板（本第１実施形態では４枚の板）の上辺又は下辺から折曲げ線１５ｂを介して連設する、複数のフラップ片１６ａ，１７ａ，１８ａ，１６ｂ，１７ａ，１８ｂ（図２参照）を折り重ねることで、天面部１９又は底面部２０が形成されている。フラップ片１６ａ，１７ａ，１８ａ，１６ｂ，１７ａ，１８ｂの少なくとも一枚（本第１実施形態では背面上方フラップ片１７ａ）は、折り曲げられた状態から元の状態に戻ろうとする復元力を押付け付勢力Ｐとして、チューブ容器１２を正面板１６又は背面板１７（本第１実施形態では正面板１６）の内側面に押し付ける押付けフラップ部２１を備えており（図３参照）、チューブ容器１２を押付けフラップ部２１によって正面板１６又は背面板１７（本第１実施形態では正面板１６）の内側面に押し付けることで、箱１１の内部におけるチューブ容器１２の回転を阻止するようになっている。
【００１２】
また、本第１実施形態では、押付けフラップ部２１は、背面板１７の上辺と連設する背面上方フラップ片１７ａによって構成され、これを横方向折曲げ線１５ｂを介して内側に折り返すと共に、折り返した背面上方フラップ片１７ａの外側面と正面板１６の内側面との間にチューブ容器１２のエンドシール部１２ａ若しくはその近傍部分を挟み込んだ状態で、背面フラップ片１７ａによる押付け付勢力Ｐによって、エンドシール部１２ａ若しくはその近傍部分を正面板１６の内側面に押し付ける（図３参照）。
【００１３】
本第１実施形態の包装体１０を構成する箱１１は、図２に示す、一枚のプラスチック製の透明なブランク１４を用いて形成される。ブランク１４は、プラスチックとして例えばポリプロピレン、ポリエチレンテレフタレート、ポリ塩化ビニル、ポリスチレン等からなる、好ましくは０．１〜１ｍｍ、更に好ましくは０．３〜０．８ｍｍの厚さを備える薄板状のシート材料である。ブランク１１は、側縁部を把持して片持ち状に水平に延設させた場合でも、折れ曲がることなく滑らかに湾曲した状態を容易に保持できる程度の保形剛性及び弾性を備えると共に、手の力で容易に折り曲げることができる程度の変形性を備える。
【００１４】
ブランク１４は、六面体状の箱１１を展開した所定の形状となるように、例えば薄板状のプラスチックシートを打ち抜いて裁断することで容易に形成される。ブランク１４には、例えば半切れ線や罫線からなる縦方向折曲げ線１５ａや横方向折曲げ線１５ｂ、或いは全切れ線からなる切込み等が適宜の位置に設けられていることで、六面体状の箱１１を容易に組み立てることができる。
【００１５】
ここで、本第１実施形態のブランク１１では、例えば縦長の略長方形の正面板１６の両側に、縦方向折曲げ線１５ａを介して縦長の略長方形の側面板１８が各々連設している。図２の展開図における左側の側面板１８の側方には、縦方向折曲げ線１５ａを介して縦長の略長方形の背面板１７が連設している。背面板１７の左側の側方には、縦方向の折曲げ線１５ａを介して縦長の略長方形の接合側面板２２が連設している。
【００１６】
図２の展開図における正面板１６の上方には、横方向折曲げ線１５ｂを介して正面上方フラップ片１６ａが連設している。正面上方フラップ１６ａの上方には、横方向補助折曲げ線１５ｃを介して天面部差込フラップ２３が連設している。天面部差込フラップ２３は、正面上方フラップ１６ａよりも横幅が狭くなっており、天面部１９を形成する際に、背面上方フラップ片１７ａに設けられた差込開口２４を介して、背面板１７の内側面に沿って差し込まれる（図１、図４参照）。天面部差込フラップ２３と正面上方フラップ片１６ａとの間の横方向補助折曲げ線１５ｃには、これの中央部分につば部形成切込み２５ａが形成されている。このつば部形成切込み２５ａには、天面部１９を形成する際に、背面上方フラップ片１７ａの差込開口２４の内側に設けられた補助差込片２６が差込まれ係止される。
【００１７】
一対の側面板１８の上方には、横方向折曲げ線１５ｂを介して側面上方フラップ片１８ａが各々連設している。側面上方フラップ片１８ａは、天面部１９を形成する際に、正面上方フラップ片１６ａの内側に重ねて折り込まれる。
【００１８】
背面板１７の上方には、横方向折曲げ線１５ｂを介して背面上方フラップ片１７ａが連設している。背面フラップ片１７ａは、その長さＬ１が、側面板１８の巾Ｌ２より長くなっていることが好ましい。背面上方フラップ１７ａの上方には、横方向補助折曲げ線１５ｃを介して先端フラップ片２７が設けられている。本実施形態では、背面上方フラップ１７ａと先端フラップ片２７とが一体となって、横方向折曲げ線１５ｂ及び横方向補助折曲げ線１５ｃを介して折り曲げられた状態から、元の状態に戻ろうとして押付け付勢力Ｐを生じる押付けフラップ部２１を構成している。また、背面上方フラップ片１７ａには、上述のように、天面部差込フラップ２３を背面板１７の内側面に沿って差し込ませるための差込開口２４や、天面部差込フラップ２３の基端部のつば部形成切込み２５ａに差込み係止される補助差込片２６が設けられている。
【００１９】
図２の展開図における正面板１６の下方には、横方向折曲げ線１５ｂを介して正面下方フラップ片１６ｂが連設している。正面上方フラップ１６ｂの下方には、横方向補助折曲げ線１５ｃを介して底面部差込フラップ片２８が連設している。底面部差込フラップ片２８は、底面部２０を形成する際に、背面下方フラップ片１７ｂの横方向折曲げ線１５ｂに沿った基端部に設けられた差込用切込み２５ｂに差込み係止される。
【００２０】
一対の側面板１８の下方には、横方向折曲げ線１５ｂを介して側面下方フラップ片１８ｂが各々連設している。本第１実施形態では、側面下方フラップ片１８ｂは、３本の横方向補助折曲げ線１５ｃを介して第１フラップ部２９ａと第２フラップ部２９ｂと第３フラップ部２９ｃと第４フラップ部２９ｄとが長手方向に連設した形状を有している。各側面下方フラップ片１８ｂは、底面部２０を形成する際に、例えば図１に示すように、横方向折曲げ線１５ｂと共に横方向補助折曲げ線１５ｃを谷折り又は山折りに略直角に折り曲げて、先端部の第４フラップ部２９ｄの裏面を、側面版１８の内側面における、側面板１８との間の横方向折曲げ線１５ｂから当該側面下方フラップ片１８ｂの長さよりも短い間隔離れた位置に、接着剤を用いて接合することにより、対向する一対の側面版１８の内側面から内側に突出する仕切り台３０を各々形成する。これによって、チューブ容器１２は、両側の側面板１８の内側面から内側に各々突出する仕切り台３０の間に、エンドシール部１２ａとは反対側の先端キャップ部１２ｂを挟み込んだ状態で、箱１１の内部に収容される。
【００２１】
背面板１７の下方には、横方向折曲げ線１５ｂを介して背面下方フラップ片１７ｂが連設している。背面下方フラップ片１７ｂの横方向折曲げ線１５ｂに沿った基端部には、上述のように、差込用切込み２５ｂが設けられている。
【００２２】
また、本第１実施形態では、箱１１の底面部２０には、図１に示すように、正面板１６と側面板１８との接合角部及び背面板１７と側面板１８との接合角部のうち、少なくとも２箇所の接合角部（本第１実施形態では４箇所の接合角部）において、正面板１６及び側面板１８、又は背面板１７及び側面板１８に跨る角部脚片３１が、下方フラップ片１６ｂ，１７ｂ，１８ｂとの間の横方向折曲げ線１５ｂよりも下方に突出して設けられている。
【００２３】
すなわち、図２に示すブランク１４において、正面板１６、背面板、及び側面板１８の下端部には、各縦方向折曲げ線１５ａを挟んだ両側の正面板１６及び側面板１８、或いは背面板１７及び側面板１８に跨るようにして、倒立した等脚台形状の角部脚片３１が、正面板１６、側面板１８、又は背面板１７と各下方フラップ片１６ｂ，１７ｂ，１８ｂとの間の横方向折曲げ線１５ｂよりも下方に突出して設けられている。底面部２０を形成する際に、等脚台形状の角部脚片３１の中央部を縦方向折曲げ線１５ａに沿って略直角に折り曲げることにより、略Ｌ字断面形状を有する角部脚片３１が、箱１１の底面部２０の四隅に設けられる。底面部２０の四隅にＬ字断面形状の角部脚片３１が設けられていることにより、平坦な面とすることが困難な箱１１の底面部２０を、載置面から浮かせた状態に保持して箱１１を立設させることで、包装体１０の自立安定性を向上させることが可能になる。
【００２４】
チューブ容器１２を箱１１に収容して本第１実施形態の包装体１０を形成するには、図２に示すブランク１４を用いて、例えば側面下方フラップ片１８ｂを内側に折り曲げて仕切り台３０を各々形成した後に、縦方向折曲げ線１５ａを各々略直角に折曲げると共に、接合側面板２２を内側にして端部に配置された一方の側面板１８を重ね合わせた状態で、これらを接着剤を用いて接合する。これによって、ブランク１４は矩形断面の筒状に形成される。
【００２５】
次に、背面下方フラップ片１７ｂを横方向折曲げ線１５ｂを介して底面部２０に沿うように折り曲げると共に、これの外側に折り重ねるようにして、正面下方フラップ片１６ｂを、横方向折曲げ線１５ｂを介して折り曲げて、これの先端の底面部差込フラップ片２８を背面下方フラップ片１７ｂの基端部に設けられた差込用切込み２５ｂに差込み係止する。これによって箱１１の底面部２０が形成される。
【００２６】
箱１１の底部２０を形成したら、天面部１９を形成する前の上端開口を介して、背面上方フラップ片１７ａを、横方向折曲げ線１５ｂを介して箱１１の内側に折り返す。チューブ容器１２を、先端キャップ部１２ｂを下方に配置した倒立状態で、折り返した背面上方フラップ片１７ａの外側面と正面板１６の内側面との間に差し込み、先端キャップ部１２ｂを、一対の側面板１８の内側に突出する仕切り台３０の間に挿入配置すると共に、チューブ容器１２の本体のエンドシール部１２ａの近傍部分を、背面上方フラップ片１７ａの外側面、より詳しくは先端フラップ片２７の外側面と正面板１６の内側面との間に挟みこんだ状態で、チューブ容器１２を箱１１の内部に収容する。これによって、チューブ容器１２は、その下部の先端キャップ部１２ｂが、仕切り台３０によって底部の中央部分に位置決めされると共に、上部のエンドシール部１２ａの近傍部分は、先端フラップ片２７を含む背面上方フラップ片１７ａの押付け付勢力Ｐによって、正面板１６の内側面に押し付けられた状態となる（図１、図３参照）。背面上方フラップ片１７ａによって押し付ける部位は、チューブ容器１２の任意の部位であって良いが、エンドシール部１２ａ又はエンドシール部１２ａの近傍部分が好ましい。
【００２７】
箱１１の内部にチューブ容器１２を収容したら、一対の側面上方フラップ片１８ａを、横方向折曲げ線１５ｂを介して天面部１９に沿うように折り曲げると共に、これらの外側に折り重ねるようにして、正面上方フラップ片１６ａを、横方向折曲げ線１５ｂを介して折り曲げて、これの先端の底天面部差込フラップ２３を、背面上方フラップ片１７ａの差込開口２４を介して背面板１７の内側面に沿って差し込む。さらに、天面部差込フラップ２３の横方向補助折曲げ線１５ｃに沿った基端部に設けられたつば部形成切込み２５ａに、背面上方フラップ片１７ａの補助差込片２６を差込み係止することにより箱１１の天面部１９を形成して、図１に示すような、本第１実施形態の包装体１０が得られる。
【００２８】
そして、上述の構成を備える本第１実施形態の包装体１０によれば、平シール状のエンドシール部１２ａを有するチューブ容器１２を収納物として箱１１に収容した場合に、簡易な構成によって、これの回転を効果的に阻止することができる。すなわち、本第１実施形態の包装体１０によれば、箱１１の内側に折り返された背面上方フラップ片１７ａは、折り曲げられた状態から元の状態に戻ろうとする復元力を押付け付勢力Ｐとして、チューブ容器１２のエンドシール部１２ａの近傍部分を正面板１６の内側面に押し付ける押付けフラップ部２１として機能することができるので、背面上方フラップ片１７ａを利用しただけの簡易な構成によって、箱１１の内部におけるチューブ容器１２の回転を、効果的の阻止することが可能になる。
【００２９】
また、本第１実施形態によれば、チューブ容器１２の下部の先端キャップ部１２ｂが、箱の内側に突出する仕切り台３０によって底部の中央部分に位置決めされているので、箱１１の内部におけるチューブ容器１２の回転を、さらに効果的の阻止することが可能になる。
【００３０】
図５は、本発明の好ましい第２実施形態に係る包装体１０’の要部を示すものである。本第２実施形態の包装体１０’は、上記第１実施形態の包装体１０と略同様の構成を備えており、チューブ容器１２のエンドシール部１２ａの近傍部分を箱１１’の正面板１６の内側面に押し付ける押付けフラップ部２１’の構成が、上記第１実施形態の包装体１０の押付けフラップ部２１’と相違している。
【００３１】
すなわち、本第２実施形態では、押付けフラップ部２１’は、図６にも示すように、左右一対の側面板１８の上辺と連設する側面上方フラップ片１８ａ’の一部として構成されるようになっており、各側面上方フラップ片１８ａ’には、側面板１８との間の横方向折曲げ線１５ｂと平行又は略平行に延設する第１補助折曲げ線３２と、第１補助折曲げ線３２よりも先端側領域において第１補助折曲げ線３２と垂直又は略垂直に延設する第２補助折曲げ線３３と、第１補助折曲げ線３２における第２補助折曲げ線３３を挟んだ片側部分に形成される切込み線３４とが設けられていて、切込み線３４と第２補助折曲げ線３３とによって区画される部分が押付けフラップ部２１’となっている。
【００３２】
そして、横方向折曲げ線１５ｂを介して側面上方フラップ片１８ａ’を天面部１９に沿うように折り曲げた後に、第１補助折曲げ線３２及び前記第２補助折曲げ線３３を各々折り曲げることで、切込み線３４と第２補助折曲げ線３３とによって区画される押付けフラップ部２１’を正面板１６の内側面と対向配置させ、押付けフラップ部２１’と正面板１６の内側面との間にチューブ容器１２のエンドシール部１２ａの近傍部分を挟み込んだ状態で、第２補助折曲げ線３３を介して折り曲げたことによる押付けフラップ部２１’の押付け付勢力によって、エンドシール部１２ａの近傍部分を正面板１６の内側面に押し付けるようになっている。
【００３３】
本第２実施形態の包装体１０’によっても、側面上方フラップ片１８ａ’の一部を利用しただけの簡易な構成によって、押付けフラップ部２１’によりチューブ容器１２のエンドシール部１２ａの近傍部分を正面板１６の内側面に押し付けることができるので、上記第１実施形態の包装体１０と同様の作用効果が奏される。
【００３４】
なお、本発明は上記各実施形態に限定されることなく種々の変更が可能である。例えば、チューブ容器は、先端キャップ部を下方に配置した倒立状態で箱に収容される必要は必ずしも無く、エンドシール部を下方に配置した正立状態で箱に収容されていても良い。この場合には、正面板や背面板や側面板の下辺部に連設するフラップ片を押付けフラップ部として用いて、正面板や背面板の内側面にエンドシール部の近傍部分を押し付けるようにすることができる。また、エンドシール部の近傍部分は、押付けフラップ部によって背面板の内側面に押し付けて、チューブ容器の回転を阻止するようにしても良い。さらに、箱は、透明又は半透明のプラスチック製のブランクを用いて形成される必要は必ずしもなく、紙製の等の透明でないブランクを用いて形成されるものであっても良い。透明ではない箱であっても、一部に開口部が設けられていて、収容した前記チューブ容器を視認可能となっている場合には、本発明は特に有効である。
【００３５】
また、先端キャップ部を挟み込む仕切り台や、箱の底面部の接合角部に配置される角部脚片は、必ずしも設ける必要はない。
【００３６】
さらに、上記第１実施形態では、正面上方フラップ１６ａに連設する天面部差込フラップ２３を背面板１７の内側面に沿って差し込むことができるように、背面上方フラップ片１７ａに差込開口２４を設けているが、図７に示すように、天面部差込フラップ２３を背面板１７の内側面に沿って差し込むことなく、正面上方フラップ１６ａを、天面部１９を越えて背面板１７の上部外周面を外側から覆う位置まで延設させると共に、正面上方フラップ１６ａの先端に設けた差込み係止片３６を、背面板１７に設けた係止切込み３５に差込み係止することで、上端開口を閉塞する天面部１９を形成することもできる。これによって、背面上方フラップ片１７ａに差込開口２４を形成する必要がなくなる。
【００３７】
図８（ａ）は、本発明の他の実施形態に係る包装体５０を例示するものである。本他の実施形態の包装体５０では、一枚の薄板状のシート材料として、図８（ｂ）に示す不透明な紙製のブランク５１を用いて、天面部５２が正面板５３側に向けて斜めに傾斜する傾斜面となった、略六面体状の箱５４が組み立てられる。組み立てられた箱５４の内部には、図１に示す上記第１実施形態の包装体１０と同様に、平シール状のエンドシール部１２ａを有すると共に、先端キャップ部１２ｂを有する好ましくは合成樹脂製のチューブ容器１２が、先端キャップ部１２ｂを下方に配置した倒立状態で収容されている。
【００３８】
箱５４の内側底部には、一対の側面板５５の下方に各々連設する側面下方フラップ片５６を折り曲げることにより、図１に示す上記第１実施形態の包装体１０と同様に、対向する一対の側面板５５の内側面から各々内側に突出する仕切り台３０が形成されており、これらの仕切り台３０の間に、先端キャップ部１２ｂを挟み込んだ状態で、チューブ容器１２が箱１１の内部に収容されている。さらに、背面板５７の上方には、押付けフラップ部として機能する背面上方フラップ片５８が連設しており、図１に示す上記第１実施形態の包装体１０と同様に、背面上方フラップ片５８を内側に折り返すと共に、折り返した背面上方フラップ片５８の外側面と正面板５３や天面部５２の内側面との間にチューブ容器１２のエンドシール部１２ａの近傍部分を挟み込んだ状態で、チューブ容器１２が箱１１の内部に収容されている。
【００３９】
さらに、正面上方フラップ５９を、天面部５２を越えて背面板５７の上部外周面を外側から覆う位置まで延設させると共に、正面上方フラップ５９の先端に設けた差込み係止片５９ａを、背面板５７に設けた係止切込み５７ａに差込み係止することで、図７と同様に、上端開口を閉塞する天面部５２が形成されるようになっている。
【００４０】
そして、本他の実施形態の包装体５０では、図８（ｂ）における左側の側面板５５から縦方向折り曲線６３を介して左側に連設して、張出し表示板６０が設けられており、背面板５７には、右側に連続して延設する張出し延設部６１が設けられている。図８（ｃ）に示すように、張出し表示板６０の内側面と張出し延設部６１の内側面とを重ね合わせ、接着剤６２を介してこれらを接合することで、図８（ｂ）に示すブランク５１から、張出し表示板６０及び張出し延設部６１を側方に張り出させた筒状の立体形状を、容易に形成することができる。
【００４１】
これによって、例えばブランク５１の製造業者から、図８（ｂ）における右側の側面板５５と正面板５３との間の縦方向折り曲線６３を介して２つ折りに折り畳まれると共に、張出し表示板６０と張出し延設部６１の内側面同士を接合して平坦な状態で納入されたブランク５１に対して、包装体５０の製造業者は、正面板５３と背面板５７と一対の側面板５５の部分を、立体形状となるように斜め方向に引き起すことで矩形断面の筒状に形成して、チューブ容器１２を収容する箱５４をスムーズに形成することが可能になる。また、例えばブランク５１の製造業者が、予め側面下方フラップ片５６を横方向補助折曲げ線５６ａを介して内側に折り畳むと共に、これの先端フラップ部５６ｂを側面板５５の内側面の所定の位置に接合しておくことにより、包装体５０の製造業者は、ブランク５１から矩形断面の筒状を形成する際に、側面下方フラップ片５６を起すことで、仕切り台３０を容易に形成することが可能になる。
【００４２】
本他の実施形態の包装体５０によっても、内部に収容したチューブ容器１２の回転を、押付けフラップ部としての背面上方フラップ片５８や、仕切り台３０によって阻止して、上記第１実施形態の包装体１０と同様の作用効果が奏される。また、本他の実施形態の包装体５０によれば、箱５４の背面板５７から側方に張り出して、張出し延設部６１と一体となった張出し表示板６０が設けられているので、この張出し表示板６０に装飾や説明書き等を施すことで、広告宣伝効果を向上させることが可能になると共に、包装体５０の自立安定性を向上させることが可能になる。
【符号の説明】
【００４３】
１０，１０’  包装体
１１，１１’  箱
１２  チューブ容器
１２ａ  エンドシール部
１２ｂ  先端キャップ部
１４  ブランク
１５ａ  縦方向折曲げ線
１５ｂ  横方向折曲げ線
１６  正面板
１６ａ  正面上方フラップ片
１６ｂ  正面下方フラップ片
１７  背面板
１７ａ  背面上方フラップ片
１７ｂ  背面下方フラップ片
１８  側面板
１８ａ，１８ａ’  側面上方フラップ片
１８ｂ  側面下方フラップ片
１９  天面部
２０  底面部
２１，２１’  押付けフラップ部
２２  接合側面板
２３  天面部差込フラップ
２４  差込開口
２７  背面上方フラップの先端フラップ片
３０  仕切り台
３１  角部脚片
３２  第１補助折曲げ線
３３  第２補助折曲げ線
３４  切込み線
Ｐ    押付け付勢力
【図１】
0005707064.tif 000002
【図２】
0005707064.tif 000003
【図３】
0005707064.tif 000004
【図４】
0005707064.tif 000005
【図５】
0005707064.tif 000006
【図６】
0005707064.tif 000007
【図７】
0005707064.tif 000008
【図８】
0005707064.tif 000009